(57)【要約】【課題】テレビジョン受像機とＨＤＭＩケーブルを介して接続された録画機器及び当該録画機器を備えるコンテンツ録画システムにおいて、録画機器の電源の切り忘れを防止する。【解決手段】テレビジョン受像機２とＨＤＭＩケーブルＣを介して接続されたＢＤレコーダ４において、「視聴中の番組コンテンツ」の録画開始を指示する開始指示信号を、ＨＤＭＩケーブルＣを介してテレビジョン受像機２から受信した場合に、「視聴中の番組コンテンツ」を録画する録画処理を開始する手段と、所定のタイミングで当該録画処理を停止する手段と、当該録画処理が停止された場合に、テレビジョン受像機２の電源状態を、ＨＤＭＩケーブルＣを介してテレビジョン受像機２に問い合わせる手段と、当該問い合わせ結果に基づきテレビジョン受像機２の電源がＯＮ状態でないと判断した場合に、自己（ＢＤレコーダ４）の電源をＯＦＦ状態にする手段と、を備えることを特徴とする。【選択図】図３
2011061482.tif 000002
【特許請求の範囲】
【請求項１】
テレビジョン受像機とＨＤＭＩケーブルを介して接続された録画機器において、
番組コンテンツを受信する受信手段と、
番組コンテンツを記録媒体に録画する録画手段と、
前記テレビジョン受像機で視聴中の番組コンテンツの録画開始を指示する開始指示信号を、前記ＨＤＭＩケーブルを介して前記テレビジョン受像機から受信した場合に、前記録画手段による前記受信手段により受信された前記視聴中の番組コンテンツを前記記録媒体に録画する録画処理を開始させる開始制御手段と、
所定のタイミングで、前記録画手段による前記録画処理を停止させる停止制御手段と、
前記停止制御手段により前記録画手段による前記録画処理が停止された場合に、前記テレビジョン受像機の電源状態を、前記ＨＤＭＩケーブルを介して前記テレビジョン受像機に問い合わせる問い合わせ手段と、
前記問い合わせ手段による問い合わせ結果に基づいて、前記テレビジョン受像機の電源がＯＮ状態であるか否か判断する電源状態判断手段と、
前記電源状態判断手段により前記テレビジョン受像機の電源がＯＮ状態でないと判断された場合に、当該録画機器の電源をＯＦＦ状態にする電源ＯＦＦ手段と、
を備えることを特徴とする録画機器。
【請求項２】
請求項１に記載の録画機器において、
前記所定のタイミングは、前記視聴中の番組コンテンツの放送が終了した時点と、予め設定された録画停止時刻が到来した時点と、予め設定された録画時間が経過した時点と、前記記録媒体の空き容量が無くなった時点と、のうちの何れかであることを特徴とする録画機器。
【請求項３】
請求項１又は２に記載の録画機器において、
前記電源状態判断手段により前記テレビジョン受像機の電源がＯＮ状態であると判断された場合に、当該録画機器がアクティブソースであるか否か判断する出力状態判断手段を備え、
前記電源ＯＦＦ手段は、前記出力状態判断手段により前記録画機器がアクティブソースでないと判断された場合に、前記録画機器の電源をＯＦＦ状態にすることを特徴とする録画機器。
【請求項４】
テレビジョン受像機と、前記テレビジョン受像機とＨＤＭＩケーブルを介して接続された録画機器と、を備えるコンテンツ録画システムにおいて、
前記テレビジョン受像機は、
ユーザが当該テレビジョン受像機で視聴中の番組コンテンツを前記録画機器で録画するよう指示するための指示手段と、
前記指示手段により前記視聴中の番組コンテンツを前記録画機器で録画するよう指示された場合に、前記視聴中の番組コンテンツの録画開始を指示する開始指示信号を、前記ＨＤＭＩケーブルを介して前記録画機器に送信する開始指示信号送信手段と、
当該テレビジョン受像機の電源状態の通知を要求する電源状態通知要求信号を、前記ＨＤＭＩケーブルを介して前記録画機器から受信した場合に、当該テレビジョン受像機の電源状態を通知する電源状態通知信号を、前記ＨＤＭＩケーブルを介して前記録画機器に送信する電源状態通知信号送信手段と、
を備え、
前記録画機器は、
番組コンテンツを受信する受信手段と、
番組コンテンツを記録媒体に録画する録画手段と、
前記開始指示信号を、前記ＨＤＭＩケーブルを介して前記テレビジョン受像機から受信した場合に、前記録画手段による前記受信手段により受信された前記視聴中の番組コンテンツを前記記録媒体に録画する録画処理を開始させる開始制御手段と、
所定のタイミングで、前記録画手段による前記録画処理を停止させる停止制御手段と、
前記停止制御手段により前記録画手段による前記録画処理が停止された場合に、前記電源状態通知要求信号を、前記ＨＤＭＩケーブルを介して前記テレビジョン受像機に送信することによって、前記テレビジョン受像機の電源状態を前記テレビジョン受像機に問い合わせる問い合わせ手段と、
前記ＨＤＭＩケーブルを介して前記テレビジョン受像機から受信した前記電源状態通知信号に基づいて、前記テレビジョン受像機の電源がＯＮ状態であるか否か判断する電源状態判断手段と、
前記電源状態判断手段により前記テレビジョン受像機の電源がＯＮ状態であると判断された場合に、当該録画機器がアクティブソースであるか否か判断する出力状態判断手段と、
前記電源状態判断手段により前記テレビジョン受像機の電源がＯＮ状態でないと判断された場合と、前記出力状態判断手段により前記録画機器がアクティブソースでないと判断された場合と、に当該録画機器の電源をＯＦＦ状態にする電源ＯＦＦ手段と、
を備え、
前記所定のタイミングは、前記視聴中の番組コンテンツの放送が終了した時点と、予め設定された録画停止時刻が到来した時点と、予め設定された録画時間が経過した時点と、前記記録媒体の空き容量が無くなった時点と、のうちの何れかであることを特徴とするコンテンツ録画システム。
【発明の詳細な説明】
【技術分野】
【０００１】
本発明は、録画機器及びコンテンツ録画システムに関する。
【背景技術】
【０００２】
近年、非圧縮のデジタル映像・音声信号を、１本のケーブルで伝送することができるＨＤＭＩ（High-Definition Multimedia Interface）規格が普及している。ＨＤＭＩ規格では、ＣＥＣ（Consumer Electronics Control）と呼ばれる機器間制御機能が規定されており、ＨＤＭＩケーブルにより接続された機器間でＣＥＣコマンドを双方向に送受信し合うことによって、１台のリモコンの操作で、ＨＤＭＩケーブルで接続された機器の連携動作が実現されている。
【０００３】
ＣＥＣで実現可能な機能の一つに、ワンタッチレコード（One Touch Record）と呼ばれる機能がある。この機能は、例えば、テレビジョン受像機と録画機器とがＨＤＭＩケーブルにより接続されている場合に、ワンタッチレコードを指示する操作キーを操作するだけで、テレビジョン受像機で視聴中の番組を録画機器で録画できるというものである。
【０００４】
このようなワンタッチレコードにおいて、ユーザは、録画機器での録画処理が開始された後に、テレビジョン受像機のチャンネルを変えて別の番組を視聴したり、テレビジョン受像機の電源をＯＦＦしたりすることがある。特に、録画中の番組の放送が終了する前にテレビジョン受像機の電源をＯＦＦするような場合、ユーザは、録画を継続させたいのであれば、録画機器の電源をＯＦＦすることができず、放置せざるを得ない。その結果、録画機器での録画処理が終了してもそれに気付かず、そのまま録画機器の電源を切り忘れてしまう可能性があるという問題がある。
【０００５】
ところで、従来、接続する外部機器の電源状態に連動して、第１の待機モード（電源を「切」の状態に維持するモード）と、当該第１の待機モードよりも消費電力が大きい第２の待機モード（電源を見かけ上「切」に維持するモード）と、を切り替える映像音声処理装置（例えば、特許文献１参照）、第１の電子機器と第２の電子機器との間での情報の送受信が可能とされる電子機器システムにおいて、第１の電子機器は、自身の電源状態が遷移したとされるときに、電源をオフとするための電源オフコマンドを送信し、第２の電子機器は、当該電源オフコマンドを受信した場合には、自身の電源をオン状態からオフ状態に切り替える電子機器システム（例えば、特許文献２参照）、入力される映像及び音声信号がリピータ機器を経由していないと判定された場合、当該リピータ機器の電源をオフに制御する表示装置（例えば、特許文献３参照）、等が提案されている。
【先行技術文献】
【特許文献】
【０００６】
【特許文献１】ＷＯ２００６／１０９５８１号公報
【特許文献２】特開２００１−２３６１４８号公報
【特許文献３】特開２００９−１００３２９号公報
【発明の概要】
【発明が解決しようとする課題】
【０００７】
しかしながら、特許文献１及び２記載の発明は、接続する外部機器の電源状態に連動して自己の電源状態を切り替えるものであるため、接続する外部機器（テレビジョン受像機）の電源がＯＦＦされた後も録画処理を継続する録画機器には適用できず、上記問題を解決することはできない。
また、特許文献３記載の発明は、接続する外部機器の電源をＯＦＦするものであり、自己の電源をＯＦＦするものでないため、上記問題を解決することはできない。
【０００８】
本発明の課題は、テレビジョン受像機とＨＤＭＩケーブルを介して接続された録画機器及び当該録画機器を備えるコンテンツ録画システムにおいて、録画機器の電源の切り忘れを防止することにある。
【課題を解決するための手段】
【０００９】
前記課題を解決するために、請求項１に記載の発明は、
テレビジョン受像機とＨＤＭＩケーブルを介して接続された録画機器において、
番組コンテンツを受信する受信手段と、
番組コンテンツを記録媒体に録画する録画手段と、
前記テレビジョン受像機で視聴中の番組コンテンツの録画開始を指示する開始指示信号を、前記ＨＤＭＩケーブルを介して前記テレビジョン受像機から受信した場合に、前記録画手段による前記受信手段により受信された前記視聴中の番組コンテンツを前記記録媒体に録画する録画処理を開始させる開始制御手段と、
所定のタイミングで、前記録画手段による前記録画処理を停止させる停止制御手段と、
前記停止制御手段により前記録画手段による前記録画処理が停止された場合に、前記テレビジョン受像機の電源状態を、前記ＨＤＭＩケーブルを介して前記テレビジョン受像機に問い合わせる問い合わせ手段と、
前記問い合わせ手段による問い合わせ結果に基づいて、前記テレビジョン受像機の電源がＯＮ状態であるか否か判断する電源状態判断手段と、
前記電源状態判断手段により前記テレビジョン受像機の電源がＯＮ状態でないと判断された場合に、当該録画機器の電源をＯＦＦ状態にする電源ＯＦＦ手段と、
を備えることを特徴とする。
【００１０】
請求項２に記載の発明は、
請求項１に記載の録画機器において、
前記所定のタイミングは、前記視聴中の番組コンテンツの放送が終了した時点と、予め設定された録画停止時刻が到来した時点と、予め設定された録画時間が経過した時点と、前記記録媒体の空き容量が無くなった時点と、のうちの何れかであることを特徴とする。
【００１１】
請求項３に記載の発明は、
請求項１又は２に記載の録画機器において、
前記電源状態判断手段により前記テレビジョン受像機の電源がＯＮ状態であると判断された場合に、当該録画機器がアクティブソースであるか否か判断する出力状態判断手段を備え、
前記電源ＯＦＦ手段は、前記出力状態判断手段により前記録画機器がアクティブソースでないと判断された場合に、前記録画機器の電源をＯＦＦ状態にすることを特徴とする。
【００１２】
請求項４に記載の発明は、
テレビジョン受像機と、前記テレビジョン受像機とＨＤＭＩケーブルを介して接続された録画機器と、を備えるコンテンツ録画システムにおいて、
前記テレビジョン受像機は、
ユーザが当該テレビジョン受像機で視聴中の番組コンテンツを前記録画機器で録画するよう指示するための指示手段と、
前記指示手段により前記視聴中の番組コンテンツを前記録画機器で録画するよう指示された場合に、前記視聴中の番組コンテンツの録画開始を指示する開始指示信号を、前記ＨＤＭＩケーブルを介して前記録画機器に送信する開始指示信号送信手段と、
当該テレビジョン受像機の電源状態の通知を要求する電源状態通知要求信号を、前記ＨＤＭＩケーブルを介して前記録画機器から受信した場合に、当該テレビジョン受像機の電源状態を通知する電源状態通知信号を、前記ＨＤＭＩケーブルを介して前記録画機器に送信する電源状態通知信号送信手段と、
を備え、
前記録画機器は、
番組コンテンツを受信する受信手段と、
番組コンテンツを記録媒体に録画する録画手段と、
前記開始指示信号を、前記ＨＤＭＩケーブルを介して前記テレビジョン受像機から受信した場合に、前記録画手段による前記受信手段により受信された前記視聴中の番組コンテンツを前記記録媒体に録画する録画処理を開始させる開始制御手段と、
所定のタイミングで、前記録画手段による前記録画処理を停止させる停止制御手段と、
前記停止制御手段により前記録画手段による前記録画処理が停止された場合に、前記電源状態通知要求信号を、前記ＨＤＭＩケーブルを介して前記テレビジョン受像機に送信することによって、前記テレビジョン受像機の電源状態を前記テレビジョン受像機に問い合わせる問い合わせ手段と、
前記ＨＤＭＩケーブルを介して前記テレビジョン受像機から受信した前記電源状態通知信号に基づいて、前記テレビジョン受像機の電源がＯＮ状態であるか否か判断する電源状態判断手段と、
前記電源状態判断手段により前記テレビジョン受像機の電源がＯＮ状態であると判断された場合に、当該録画機器がアクティブソースであるか否か判断する出力状態判断手段と、
前記電源状態判断手段により前記テレビジョン受像機の電源がＯＮ状態でないと判断された場合と、前記出力状態判断手段により前記録画機器がアクティブソースでないと判断された場合と、に当該録画機器の電源をＯＦＦ状態にする電源ＯＦＦ手段と、
を備え、
前記所定のタイミングは、前記視聴中の番組コンテンツの放送が終了した時点と、予め設定された録画停止時刻が到来した時点と、予め設定された録画時間が経過した時点と、前記記録媒体の空き容量が無くなった時点と、のうちの何れかであることを特徴とする。
【発明の効果】
【００１３】
本発明によれば、録画機器での録画処理が停止した時点で、テレビジョン受像機の電源がＯＦＦ状態であれば、当該録画機器の電源もＯＦＦ状態になるため、録画機器の電源の切り忘れを防止することができる。
【図面の簡単な説明】
【００１４】
【図１】本実施形態のコンテンツ録画システムの全体構成の一例を示す図である。
【図２】本実施形態のコンテンツ録画システムを構成するテレビジョン受像機の機能的構成の一例を示す図である。
【図３】本実施形態のコンテンツ録画システムを構成するＢＤレコーダの機能的構成の一例を示す図である。
【図４】テレビジョン受像機が備える映像表示部に表示される停止タイミング指定画面の一例を示す図である。
【図５】本実施形態のコンテンツ録画システムによる、ワンタッチレコードの開始に関する処理の一例を説明するためのフローチャートである。
【図６】本実施形態のコンテンツ録画システムによる、ユーザからの指示によるワンタッチレコードの停止に関する処理の一例を説明するためのフローチャートである。
【図７】本実施形態のコンテンツ録画システムによる、ユーザからの指示によらないワンタッチレコードの停止に関する処理の一例を説明するためフローチャートである。
【発明を実施するための形態】
【００１５】
以下、本発明に係る実施の形態について、図面を参照しながら説明する。なお、本発明の範囲は、以下の実施例及び図示例に限定されるものではない。
【００１６】
本実施形態のコンテンツ録画システム１は、図１に示すように、テレビジョン受像機２と、録画機器としてのＢＤ（Blue-ray Disc）レコーダ４と、がＨＤＭＩ規格のＨＤＭＩケーブルＣを介して接続されてなる。テレビジョン受像機２及びＢＤレコーダ４は、共に、ＨＤＭＩ規格のＣＥＣ機能を備えている。
なお、録画機器はＢＤレコーダ４に限られることはなく、ＨＤＭＩ規格のＣＥＣに準拠したものであれば、任意の録画機器を用いることができる。具体的には、例えば、ＨＤＤ（Hard Disk Drive）レコーダ、ＤＶＤ（Digital Versatile Disc）レコーダ、Ｄ−ＶＨＳ（Data Video Home System）レコーダ等を録画機器として用いても良い。
【００１７】
ＨＤＭＩケーブルＣには、映像データや音声データなどを含むコンテンツデータを伝送するためのＴＭＤＳ（Transition Minimized Differential Signaling）ラインが含まれ、ＢＤレコーダ４がＢＤ４４ａから読み出したコンテンツデータは、当該ＴＭＤＳライン経由でテレビジョン受像機２に送信される。
また、ＨＤＭＩケーブルＣには、双方向通信が可能なＣＥＣラインが設けられており、当該ＣＥＣラインを介してＣＥＣコマンドを相互に送受信することで、テレビジョン受像機２とＢＤレコーダ４との間で、後述するワンタッチレコードを始めとする各種の連携動作を行うことができる。
【００１８】
［テレビジョン受像機］
まず、本実施形態のコンテンツ録画システム１を構成するテレビジョン受像機２について説明する。
テレビジョン受像機２は、例えば、図２に示すように、アンテナ２１ａと接続するチューナ２１と、第１デコーダ部２２と、音声処理部２３と、音声出力部２４と、映像処理部２５と、ＯＳＤ回路２６と、映像表示部２７と、第１ＨＤＭＩインターフェース２８と、リモコン受信部２９及びリモコン２９ａと、第１制御部３０と、等を備えて構成される。
【００１９】
チューナ２１は、所定の番組に係るコンテンツデータ（番組コンテンツ）を受信する。
具体的には、アンテナ２１ａは、屋外において所定の方角に向けて配置され、放送局側から発信される高周波のデジタル放送信号を受信する。
そして、チューナ２１は、アンテナ２１ａ等により受信された高周波信号のデジタル放送信号の中から、所望の番組のチャンネルに対応する特定周波数帯の信号を抽出して、中間周波信号（ＩＦ信号）に変換する。その後、当該信号に対してデジタル復調や誤り訂正などの所定の処理を施して、トランスポートストリーム（ＴＳ：Transport Stream）を生成し、第１デコーダ部２２に出力する。
【００２０】
第１デコーダ部２２は、分離部（Demultiplexer）と、ビデオデコーダと、オーディオデコーダと、データデコーダと、等を備えて構成される。
分離部は、チューナ２１から入力されたＴＳを、ビデオストリーム、オーディオストリーム、ＰＳＩ／ＳＩ等の複数のストリームに分離する。そして、ＰＳＩに基づいて必要なＴＳパケットを取得し、ＭＰＥＧ２（Moving Picture Experts Group 2）等の所定の規格下のビデオストリームをビデオデコーダに、オーディオストリームをオーディオデコーダに出力するとともに、番組情報（ＳＩ）等のデータをデータデコーダに出力する。
ビデオデコーダは、分離部から入力されたビデオストリームを復号して、映像データを生成し、映像処理部２５に出力する。
また、オーディオデコーダは、分離部から入力されたオーディオストリームを復号して、音声データを生成し、音声処理部２３に出力する。
また、データデコーダは、分離部から入力されたデータを復号して、必要な情報を取得し、第１制御部３０やＯＳＤ回路２６に出力する。
【００２１】
音声処理部２３は、第１デコーダ部２２が備えるオーディオデコーダから入力された音声データに対して各種音声処理を施して、音声信号を生成し、音声出力部２４に出力する。
音声出力部２４は、スピーカ等を備えて構成され、音声処理部２３から入力された音声信号に基づく音声を増幅して、当該スピーカから出力する。
【００２２】
映像処理部２５は、第１デコーダ部２２が備えるビデオデコーダから入力された映像データに対して各種映像処理を施して、映像信号を生成し、映像表示部２７に出力する。
ＯＳＤ回路２６は、映像表示部２７に所定のオンスクリーンディスプレイ（ＯＳＤ）表示をさせるためのＯＳＤ表示信号を、映像処理部２５から映像表示部２７に入力される映像信号に合成する。
映像表示部２７は、ＬＣＤ（Liquid Crystal Display）、ＰＤＰ（Plasma Display Panel）、有機ＥＬ（Electro Luminescence）ディスプレイなどのディスプレイ等を備えて構成され、入力された映像信号（映像処理部２５から出力された映像信号、或いは、映像処理部２５から出力されてＯＳＤ回路２６によりＯＳＤ表示信号が合成された映像信号）に基づく映像を当該ディスプレイに表示させる。
【００２３】
第１ＨＤＭＩインターフェース２８は、ＨＤＭＩ規格に準拠したインターフェースであり、ＨＤＭＩケーブルＣにより接続されたＢＤレコーダ４との間で、映像データや音声データなどを含むコンテンツデータ、ＣＥＣコマンドなどの制御信号等の送受信を行う。
【００２４】
リモコン受信部２９は、リモコン２９ａから送信されたリモコン信号を受信して、第１制御部３０に出力する。そして、第１制御部３０では、入力されたリモコン信号に基づいて操作された操作キーの判別が行われる。
【００２５】
リモコン２９ａは、テレビジョン受像機２を遠隔操作するためのリモートコントローラである。リモコン２９ａは、各種操作キーを備えており、ユーザにより操作キーが押下されると、当該押下された操作キーに対応するリモコン信号を送信する。
【００２６】
具体的には、リモコン２９ａは、操作キーとして、ワンタッチレコードの開始を指示するためのOne Touch Recordキーを備えている。ユーザは、当該One Touch Recordキーを押下することによって、テレビジョン受像機２で視聴中の番組コンテンツをＢＤレコーダ４で録画するよう指示する。すなわち、リモコン２９ａは、本発明の指示手段を構成する。
以下、「視聴中の番組コンテンツ」は、One Touch Recordキーが押下された際（すなわち、リモコン受信部２９がOne Touch Recordキーに対応するリモコン信号を受信した際）に、テレビジョン受像機２で視聴されている番組コンテンツを指すこととする。したがって、One Touch Recordキーが押下された後に、ユーザによるリモコン２９ａ操作等によってテレビジョン受像機２のチャンネルが切り替えられた場合等においては、「視聴中の番組コンテンツ」と、実際の視聴中の番組コンテンツと、が異なることがある。
【００２７】
また、リモコン２９ａは、操作キーとして、ワンタッチレコード等の録画の停止を指示するための録画停止キーを備えている。ユーザは、ＢＤレコーダ４で録画処理が実行されている最中に当該録画停止キーを押下することによって、当該録画処理を停止するよう指示する。
【００２８】
第１制御部３０は、例えば、図２に示すように、ＣＰＵ（Central Processing Unit）３０１と、ＲＡＭ（Random Access Memory）３０２と、記憶部３０３と、等を備えて構成され、テレビジョン受像機２の各部を制御する。
【００２９】
ＣＰＵ３０１は、記憶部３０３に記憶されたテレビジョン受像機２用の各種処理プログラムに従って各種の制御動作を行う。
【００３０】
ＲＡＭ３０２は、ＣＰＵ３０１によって実行される処理プログラムなどを展開するためのプログラム格納領域、入力データや上記処理プログラムが実行される際に生じる処理結果などを格納するデータ格納領域等を備える。
【００３１】
記憶部３０３は、テレビジョン受像機２で実行可能なシステムプログラム、当該システムプログラムで実行可能な各種処理プログラム、これら各種処理プログラムを実行する際に使用されるデータ、ＣＰＵ３０１によって演算処理された処理結果のデータ等を記憶する。なお、プログラムは、コンピュータが読み取り可能なプログラムコードの形で記憶部３０３に記憶されている。
【００３２】
具体的には、記憶部３０３には、例えば、図２に示すように、開始指示信号送信プログラム３０３ａと、停止タイミング指定信号送信プログラム３０３ｂと、停止指示信号送信プログラム３０３ｃと、電源状態通知信号送信プログラム３０３ｄと、等が格納されている。
【００３３】
開始指示信号送信プログラム３０３ａは、ユーザによるリモコン２９ａ操作により「視聴中の番組コンテンツ」をＢＤレコーダ４で録画するよう指示された場合（すなわち、ワンタッチレコードを開始するよう指示された場合）に、当該「視聴中の番組コンテンツ」の録画開始を指示する開始指示信号（ＣＥＣコマンド＜Record On＞）を、ＨＤＭＩケーブルＣを介してＢＤレコーダ４に送信する機能を、ＣＰＵ３０１に実現させる。
【００３４】
具体的には、ＣＰＵ３０１は、リモコン受信部２９がリモコン２９ａに設けられたOne Touch Recordキーに対応するリモコン信号を受信すると、第１ＨＤＭＩインターフェース２８に制御信号を入力して、「視聴中の番組コンテンツ」の番組情報を含むＣＥＣコマンド＜Record On＞を、ＨＤＭＩケーブルＣを介してＢＤレコーダ４に送信させる。
ここで、本発明の開始指示信号送信手段は、開始指示信号送信プログラム３０３ａを実行したＣＰＵ３０１と、第１ＨＤＭＩインターフェース２８と、により構成される。
【００３５】
停止タイミング指定信号送信プログラム３０３ｂは、ユーザによるリモコン２９ａ操作によりＢＤレコーダ４での録画処理（ワンタッチレコード処理）を停止する停止タイミングが指定された場合に、当該停止タイミングを指定する停止タイミング指定信号を、ＨＤＭＩケーブルＣを介してＢＤレコーダ４に送信する機能を、ＣＰＵ３０１に実現させる。
【００３６】
具体的には、ＣＰＵ３０１は、リモコン受信部２９がリモコン２９ａに設けられた所定の操作キー（例えば、One Touch Recordキー）に対応するリモコン信号を受信すると、ＯＳＤ回路２６に制御信号を入力して、例えば図４に示すような停止タイミング指定画面を映像表示部２７にＯＳＤ表示させる。
リモコン２９ａには、操作キーとして、数字キー、戻るキー、上下左右のキーから成るカーソルキー、決定キー等が設けられており、ユーザは、これらの操作キーを押下することによって、停止タイミング指定画面において、ワンタッチレコードを停止する停止タイミングを指定する。
ユーザは、例えば、停止タイミングとして「視聴中の番組コンテンツ」の放送が終了した時点を指定する場合には、停止タイミング指定画面において、“番組の放送終了時に録画を停止する”を選択するようになっている。また、停止タイミングとして予め設定された録画停止時刻が到来した時点を指定する場合には、停止タイミング指定画面において、“録画停止時刻を設定する”を選択するとともに、具体的な“録画停止時刻”を入力するようになっている。また、停止タイミングとして予め設定された録画時間が経過した時点を指定する場合には、停止タイミング指定画面において、“録画時間を設定する”を選択するとともに、具体的な“録画時間”を入力するようになっている。
そして、停止タイミングが指定されると、ＣＰＵ３０１は、第１ＨＤＭＩインターフェース２８に制御信号を入力して、当該停止タイミングを指定する停止タイミング指定信号を、ＨＤＭＩケーブルＣを介してＢＤレコーダ４に送信させる。
【００３７】
停止指示信号送信プログラム３０３ｃは、ユーザによるリモコン２９ａ操作によりＢＤレコーダ４での録画処理を停止するよう指示された場合に、録画停止を指示する停止指示信号（ＣＥＣコマンド＜Record Off＞）を、ＨＤＭＩケーブルＣを介してＢＤレコーダ４に送信する機能を、ＣＰＵ３０１に実現させる。
【００３８】
具体的には、ＣＰＵ３０１は、リモコン受信部２９がリモコン２９ａに設けられた録画停止キーに対応するリモコン信号を受信すると、第１ＨＤＭＩインターフェース２８に制御信号を入力して、ＣＥＣコマンド＜Record Off＞を、ＨＤＭＩケーブルＣを介してＢＤレコーダ４に送信させる。
【００３９】
電源状態通知信号送信プログラム３０３ｄは、第１ＨＤＭＩインターフェース２８が、テレビジョン受像機２の電源状態の通知を要求する電源状態通知要求信号（ＣＥＣコマンド＜Give Device Power Status＞）を、ＨＤＭＩケーブルＣを介してＢＤレコーダ４から受信した場合に、自己（テレビジョン受像機２）の電源状態を通知する電源状態通知信号（ＣＥＣコマンド＜Report Device Power Status＞）を、ＨＤＭＩケーブルＣを介してＢＤレコーダ４に送信する機能を、ＣＰＵ３０１に実現させる。
【００４０】
具体的には、ＣＰＵ３０１は、自己の電源がＯＮ状態である場合、第１ＨＤＭＩインターフェース２８に制御信号を入力して、ＣＥＣコマンド＜Report Device Power Status＞［ON］を、ＨＤＭＩケーブルＣを介してＢＤレコーダ４に送信させる。
一方、ＣＰＵ３０１は、自己の電源がＯＦＦ状態である場合、第１ＨＤＭＩインターフェース２８に制御信号を入力して、ＣＥＣコマンド＜Report Device Power Status＞［OFF］を、ＨＤＭＩケーブルＣを介してＢＤレコーダ４に送信させる。
ここで、電源状態通知信号送信手段は、電源状態通知信号送信プログラム３０３ｄを実行したＣＰＵ３０１と、第１ＨＤＭＩインターフェース２８と、により構成される。
【００４１】
［ＢＤレコーダ］
次に、本実施形態のコンテンツ録画システム１を構成するＢＤレコーダ４について説明する。
ＢＤレコーダ４は、例えば、図３に示すように、受信部４１と、エンコーダ部４２と、ＢＤ信号処理部４３と、ＢＤドライブ部４４と、第２デコーダ部４５と、第２ＨＤＭＩインターフェース４６と、第２制御部４７と、等を備えて構成される。
【００４２】
受信部４１は、受信手段として、番組コンテンツを受信する。
具体的には、受信部４１は、例えば、アンテナやチューナなどから構成され、放送局側から発信される高周波のデジタル放送信号の中から、所望の番組のチャンネルに対応する特定周波数帯の信号を抽出して、中間周波信号（ＩＦ信号）に変換する。その後、当該信号に対してデジタル復調や誤り訂正などの所定の処理を施して、ＴＳを生成し、必要なＴＳパケットを取り出して、エンコーダ部４２に出力する。
【００４３】
エンコーダ部４２は、ビデオエンコーダと、オーディオエンコーダと、データエンコーダと、フォーマッタと、等を備えて構成される。
ビデオエンコーダは、入力された映像データを所定の圧縮方式に従って圧縮して、当該映像データをパケット化し、ビデオパケットとしてフォーマッタに出力する。
また、オーディオエンコーダは、入力された音声データを所定の圧縮方式に従って圧縮して、当該音声データをパケット化し、オーディオパケットとしてフォーマッタに出力する。
また、データエンコーダは、ＴＳに含まれるＳＩの中から、録画する番組コンテンツに関連する番組情報（例えば、タイトル、チャンネル、放送局、ジャンル、放送時刻としての放送開始時刻・放送終了時刻、出演者、番組内容等）を抽出してエンコードし、フォーマッタに出力する。
フォーマッタは、ビデオエンコーダから入力された映像データ、オーディオエンコーダから入力された音声データ、データエンコーダから入力された番組情報等に対して多重化処理を行い、当該多重化処理されたコンテンツデータを、ＢＤドライブ部４４においてＢＤ４４ａに書き込み可能なファイル形式に変換して、ＢＤ信号処理部４３に出力する。
【００４４】
ＢＤ信号処理部４３は、エンコーダ部４２が備えるフォーマッタからコンテンツデータが入力されると、当該コンテンツデータに対して誤り訂正符号化や変調などの所定の処理を施して、ＢＤドライブ部４４に出力する。これにより、ＢＤドライブ部４４において書き込み処理が行われる。
また、ＢＤ信号処理部４３は、ＢＤドライブ部４４において読み出し処理が行われてＢＤドライブ部４４からコンテンツデータが入力されると、当該コンテンツデータに対して復調や誤り訂正復号などの所定の処理を施して、第２デコーダ部４５に出力する。
【００４５】
第２デコーダ部４５は、分離部と、ビデオデコーダと、オーディオデコーダと、等を備えて構成され、分離部において、ＢＤ信号処理部４３から入力されたコンテンツデータを映像データ、音声データ等の複数のデータに分離し、分離した映像データをビデオデコーダに、映像データをオーディオデコーダに出力する。そして、分離された映像データを、ビデオデコーダにおいてデコードし、分離された音声データを、オーディオデコーダにおいてデコードして、第２ＨＤＭＩインターフェース４６に出力する。これにより、ＢＤ４４ａから読み出されたコンテンツデータがＨＤＭＩケーブルＣを介してテレビジョン受像機２に送信されて、当該コンテンツデータに基づく映像・音声がテレビジョン受像機２で視聴可能となる。
【００４６】
ＢＤドライブ部４４は、録画手段として、記録媒体としてのＢＤ４４ａに番組コンテンツを録画する。
具体的には、ＢＤドライブ部４４は、ＢＤドライブ部４４に着脱自在なＢＤ４４ａと、ＢＤ４４ａに対するコンテンツデータの書き込み及び読み出しを行う光ピックアップと、装着されたＢＤ４４ａを回転させるスピンドルモータと、光ピックアップをＢＤ４４ａの半径方向に移動させる送りモータと、等を備えて構成され、ＢＤ４４ａにコンテンツデータを書き込む書き込み処理（録画処理）を行ったり、ＢＤ４４ａに記録されたコンテンツデータを読み出す読み出し処理を行ったりする。
【００４７】
第２ＨＤＭＩインターフェース４６は、ＨＤＭＩ規格に準拠したインターフェースであり、ＨＤＭＩケーブルＣにより接続されたテレビジョン受像機２との間で、映像データや音声データなどを含むコンテンツデータ、ＣＥＣコマンドなどの制御信号等の送受信を行う。
【００４８】
第２制御部４７は、例えば、図３に示すように、ＣＰＵ４７１と、ＲＡＭ４７２と、計時部４７３と、記憶部４７４と、等を備えて構成され、ＢＤレコーダ４の各部を制御する。
【００４９】
ＣＰＵ４７１は、記憶部４７４に記憶されたＢＤレコーダ４用の各種処理プログラムに従って各種の制御動作を行う。
【００５０】
ＲＡＭ４７２は、ＣＰＵ４７１によって実行される処理プログラムなどを展開するためのプログラム格納領域、入力データや上記処理プログラムが実行される際に生じる処理結果などを格納するデータ格納領域等を備える。
【００５１】
計時部４７３は、ＣＰＵ４７１から入力される制御信号に従って、所与の計時処理を行う。
【００５２】
記憶部４７４は、ＢＤレコーダ４で実行可能なシステムプログラム、当該システムプログラムで実行可能な各種処理プログラム、これら各種処理プログラムを実行する際に使用されるデータ、ＣＰＵ４７１によって演算処理された処理結果のデータ等を記憶する。なお、プログラムは、コンピュータが読み取り可能なプログラムコードの形で記憶部４７４に記憶されている。
【００５３】
具体的には、記憶部４７４には、例えば、図３に示すように、開始制御プログラム４７４ａと、停止タイミング記憶制御プログラム４７４ｂと、停止制御プログラム４７４ｃと、問い合わせプログラム４７４ｄと、電源状態判断プログラム４７４ｅと、出力状態判断プログラム４７４ｆと、電源ＯＦＦプログラム４７４ｇと、等が格納されている。
【００５４】
開始制御プログラム４７４ａは、第２ＨＤＭＩインターフェース４６が、開始指示信号（ＣＥＣコマンド＜Record On＞）を、ＨＤＭＩケーブルＣを介してテレビジョン受像機２から受信した場合に、ＢＤドライブ部４４による録画処理（受信部４１により受信された「視聴中の番組コンテンツ」をＢＤ４４ａに録画する処理（ワンタッチレコード処理））を開始させる機能を、ＣＰＵ４７１に実現させる。
【００５５】
具体的には、ＣＰＵ４７１は、ＣＥＣコマンド＜Record On＞に含まれる「視聴中の番組コンテンツ」の番組情報に基づいて、受信部４１に制御信号を入力して当該「視聴中の番組コンテンツ」の受信を開始させるとともに、ＢＤドライブ部４４等に制御信号を入力して当該受信された「視聴中の番組コンテンツ」の録画を開始させる。
ＣＰＵ４７１は、かかる開始制御プログラム４７４ａを実行することによって、開始制御手段として機能する。
【００５６】
停止タイミング記憶制御プログラム４７４ｂは、第２ＨＤＭＩインターフェース４６が、停止タイミング指定信号を、ＨＤＭＩケーブルＣを介してテレビジョン受像機２から受信した場合に、当該停止タイミング指定信号に基づいて、ユーザによるリモコン２９ａ操作により指定された停止タイミングをＲＡＭ４７２等に記憶させる機能を、ＣＰＵ４７１に実現させる。
【００５７】
停止制御プログラム４７４ｃは、録画処理（ワンタッチレコード処理）を停止させる機能を、ＣＰＵ４７１に実現させる。
【００５８】
具体的には、ＣＰＵ４７１は、第２ＨＤＭＩインターフェース４６が、停止指示信号（ＣＥＣコマンド＜Record Off＞）を、ＨＤＭＩケーブルＣを介してテレビジョン受像機２から受信した場合に、受信部４１に制御信号を入力して番組コンテンツの受信を停止させるとともに、ＢＤドライブ部４４等に制御信号を入力して番組コンテンツの録画を停止させる。
【００５９】
また、ＣＰＵ４７１は、テレビジョン受像機２からＣＥＣコマンド＜Record Off＞を受信した場合（すなわち、ユーザによるリモコン２９ａ操作により録画処理を停止するよう指示された場合）以外にも、所定のタイミングで、録画処理（ワンタッチレコード処理）を停止させるようになっている。
ここで、所定のタイミングは、「視聴中の番組コンテンツ」の放送が終了した時点と、予め設定された録画停止時刻が到来した時点と、予め設定された録画時間が経過した時点と、ＢＤ４４ａの空き容量が無くなった時点と、のうちの何れかである。
すなわち、ＣＰＵ４７１は、ＲＡＭ４７２等に停止タイミングとして“番組の放送終了時に録画を停止する”が記憶されている場合、受信部４１により受信された「視聴中の番組コンテンツ」の番組情報等に基づいて、「視聴中の番組コンテンツ」の放送が終了したと判断した際に、受信部４１に制御信号を入力して番組コンテンツの受信を停止させるとともに、ＢＤドライブ部４４等に制御信号を入力して番組コンテンツの録画を停止させる。
また、ＣＰＵ４７１は、ＲＡＭ４７２等に停止タイミングとして“録画停止時刻”が記憶されている場合、計時部４７３から現在の時刻を取得し、当該取得した現在の時刻が当該記憶された“録画停止時刻”に達したと判断した際（すなわち、当該記憶された“録画停止時刻”が到来したと判断した際）に、受信部４１に制御信号を入力して番組コンテンツの受信を停止させるとともに、ＢＤドライブ部４４等に制御信号を入力して番組コンテンツの録画を停止させる。
また、ＣＰＵ４７１は、ＲＡＭ４７２等に停止タイミングとして“録画時間”が記憶されている場合、計時部４７３からワンタッチレコードを開始した時刻と現在の時刻とを取得して、ワンタッチレコードを開始してからの時間を計測し、当該計測した時間が当該記憶された“録画時間”に達したと判断した際（すなわち、当該記憶された“録画時間”が経過したと判断した際）に、受信部４１に制御信号を入力して番組コンテンツの受信を停止させるとともに、ＢＤドライブ部４４等に制御信号を入力して番組コンテンツの録画を停止させる。
また、ＣＰＵ４７１は、装着されたＢＤ４４ａの空き容量をＢＤドライブ部４４に問い合わせて、当該空き容量が無いと判断した際に、受信部４１に制御信号を入力して番組コンテンツの受信を停止させるとともに、ＢＤドライブ部４４等に制御信号を入力して番組コンテンツの録画を停止させる。
ＣＰＵ４７１は、かかる停止制御プログラム４７４ｃを実行することによって、停止制御手段として機能する。
【００６０】
問い合わせプログラム４７４ｄは、停止制御プログラム４７４ｃを実行したＣＰＵ４７１により録画処理（ワンタッチレコード処理）が停止された場合に、テレビジョン受像機２の電源状態を、ＨＤＭＩケーブルＣを介してテレビジョン受像機２に問い合わせる機能を、ＣＰＵ４７１に実現させる。
【００６１】
具体的には、ＣＰＵ４７１は、第２ＨＤＭＩインターフェース４６に制御信号を入力して、電源状態通知要求信号（ＣＥＣコマンド＜Give Device Power Status＞）を、ＨＤＭＩケーブルＣを介してテレビジョン受像機２に送信させることによって、テレビジョン受像機２の電源状態をテレビジョン受像機２に問い合わせる。
ＣＰＵ４７１は、かかる問い合わせプログラム４７４ｄを実行することによって、問い合わせ手段として機能する。
【００６２】
電源状態判断プログラム４７４ｅは、問い合わせプログラム４７４ｄを実行したＣＰＵ４７１による問い合わせ結果に基づいて、テレビジョン受像機２の電源がＯＮ状態であるか否か判断する機能を、ＣＰＵ４７１に実現させる。
【００６３】
具体的には、ＣＰＵ４７１は、第２ＨＤＭＩインターフェース４６がＨＤＭＩケーブルＣを介してテレビジョン受像機２から受信した電源状態通知信号（ＣＥＣコマンド＜Report Device Power Status＞）に基づいて、テレビジョン受像機２の電源がＯＮ状態であるか否か判断する。すなわち、ＣＰＵ４７１は、ＣＥＣコマンド＜Report Device Power Status＞［ON］を受信した場合、テレビジョン受像機２の電源がＯＮ状態であると判断し、ＣＥＣコマンド＜Report Device Power Status＞［OFF］を受信した場合、テレビジョン受像機２の電源がＯＦＦ状態であると判断する。
ＣＰＵ４７１は、かかる電源状態判断プログラム４７４ｅを実行することによって、電源状態判断手段として機能する。
【００６４】
出力状態判断プログラム４７４ｆは、電源状態判断プログラム４７４ｅを実行したＣＰＵ４７１によりテレビジョン受像機２の電源がＯＮ状態であると判断された場合に、自己（ＢＤレコーダ４）がアクティブソースであるか否か判断する機能を、ＣＰＵ４７１に実現させる。
ここで、アクティブソースとは、テレビジョン受像機２で視聴中のコンテンツ（映像・音声）に関するコンテンツデータを供給している機器のことである。
【００６５】
具体的には、ＣＰＵ４７１は、テレビジョン受像機２に対してＨＤＭＩ出力を行っている場合（すなわち、装着されたＢＤ４４ａから読み出したコンテンツデータを、ＨＤＭＩケーブルＣを介してテレビジョン受像機２に出力している場合）、自己がアクティブソースであると判断する。
一方、ＣＰＵ４７１は、テレビジョン受像機２に対してＨＤＭＩ出力を行っていない場合、自己がアクティブソースでないと判断する。
ＣＰＵ４７１は、かかる出力状態判断プログラム４７４ｆを実行することによって、出力状態判断手段として機能する。
【００６６】
電源ＯＦＦプログラム４７４ｇは、電源状態判断プログラム４７４ｅを実行したＣＰＵ４７１によりテレビジョン受像機２の電源がＯＮ状態でないと判断された場合と、出力状態判断プログラム４７４ｆを実行したＣＰＵ４７１によりＢＤレコーダ４がアクティブソースでないと判断された場合と、に自己（ＢＤレコーダ４）の電源をＯＦＦ状態にする機能を、ＣＰＵ４７１に実現させる。
ＣＰＵ４７１は、かかる電源ＯＦＦプログラム４７４ｇを実行することによって、電源ＯＦＦ手段として機能する。
【００６７】
［ワンタッチレコード開始処理］
次に、本実施形態のコンテンツ録画システム１によるワンタッチレコードの開始に関する処理について図５のフローチャートを参照して説明する。
【００６８】
まず、テレビジョン受像機２のＣＰＵ３０１は、リモコン２９ａに設けられたOne Touch Recordキーが押下されたか否か判断する（ステップＳ１１）。
【００６９】
ステップＳ１１で、One Touch Recordキーが押下されていないと判断すると（ステップＳ１１；Ｎｏ）、ＣＰＵ３０１は、ステップＳ１１の処理を繰り返して行う。
一方、ステップＳ１１で、One Touch Recordキーが押下されたと判断すると（ステップＳ１１；Ｙｅｓ）、ＣＰＵ３０１は、開始指示信号送信プログラム３０３ａを実行して、開始指示信号（ＣＥＣコマンド＜Record On＞）を、ＨＤＭＩケーブルＣを介してＢＤレコーダ４に送信する（ステップＳ１２）。
【００７０】
次いで、ＣＰＵ３０１は、停止タイミング指定画面を映像表示部２７にＯＳＤ表示させ（ステップＳ１３）、当該停止タイミング指定画面において、停止タイミングが指定されたか否か判断する（ステップＳ１４）。
【００７１】
ステップＳ１４で、停止タイミングが指定されていないと判断すると（ステップＳ１４；Ｎｏ）、ＣＰＵ３０１は、ステップＳ１４の処理を繰り返して行う。
一方、ステップＳ１４で、停止タイミングが指定されたと判断すると（ステップＳ１４；Ｙｅｓ）、ＣＰＵ３０１は、停止タイミング指定信号送信プログラム３０３ｂを実行して、停止タイミング指定信号を、ＨＤＭＩケーブルＣを介してＢＤレコーダ４に送信し（ステップＳ１５）、本処理を終了する。
【００７２】
そして、ＢＤレコーダ４側では、ステップＳ１２で送信された開始指示信号（ＣＥＣコマンド＜Record On＞）を受信すると、ＣＰＵ４７１が、開始制御プログラム４７４ａを実行して、録画処理（ワンタッチレコード処理）を開始させる（ステップＳ１６）。
なお、開始指示信号（ＣＥＣコマンド＜Record On＞）を受信した時点で、ＢＤレコーダ４の電源がＯＦＦ状態である場合、ＣＰＵ４７１は、ＢＤレコーダ４の電源をＯＮ状態にした後に、録画処理を開始させるようになっている。
【００７３】
また、ＢＤレコーダ４側では、ステップＳ１５で送信された停止タイミング指定信号を受信すると、ＣＰＵ４７１が、停止タイミング記憶制御プログラム４７４ｂを実行して、当該停止タイミング指定信号に基づいて、ステップＳ１４で指定された停止タイミングをＲＡＭ４７２等に記憶させ（ステップＳ１７）、本処理を終了する。
【００７４】
［第１のワンタッチレコード停止処理］
次に、本実施形態のコンテンツ録画システム１による、ユーザからの指示によるワンタッチレコードの停止に関する処理について図６のフローチャートを参照して説明する。
【００７５】
まず、テレビジョン受像機２のＣＰＵ３０１は、リモコン２９ａに設けられた録画停止キーが押下されたか否か判断する（ステップＳ２１）。
【００７６】
ステップＳ２１で、録画停止キーが押下されていないと判断すると（ステップＳ２１；Ｎｏ）、ＣＰＵ３０１は、ステップＳ２１の処理を繰り返して行う。
一方、ステップＳ２１で、録画停止キーが押下されたと判断すると（ステップＳ２１；Ｙｅｓ）、ＣＰＵ３０１は、停止指示信号送信プログラム３０３ｃを実行して、停止指示信号（ＣＥＣコマンド＜Record Off＞）を、ＨＤＭＩケーブルＣを介してＢＤレコーダ４に送信する（ステップＳ２２）。
【００７７】
そして、ＢＤレコーダ４側では、ステップＳ２２で送信された停止指示信号（ＣＥＣコマンド＜Record Off＞）を受信すると、ＣＰＵ４７１が、停止制御プログラム４７４ｃを実行して、ステップ１６で開始した録画処理を停止させ（ステップＳ２３）、本処理を終了する。
【００７８】
［第２のワンタッチレコード停止処理］
次に、本実施形態のコンテンツ録画システム１による、ユーザからの指示によらないワンタッチレコードの停止に関する処理について図７のフローチャートを参照して説明する。
【００７９】
まず、ＢＤレコーダ４のＣＰＵ４７１は、ステップＳ１７で記憶した停止タイミングになったか否か判断する（ステップＳ３１）。
具体的には、停止タイミングとして“番組の放送終了時に録画を停止する”が記憶されている場合、「視聴中の番組コンテンツ」の放送が終了したか否か判断する。
また、停止タイミングとして“録画停止時刻”が記憶されている場合、当該“録画停止時刻”が到来したか否か判断する。
また、停止タイミングとして“録画時間”が記憶されている場合、当該“録画時間”が経過したか否か判断する。
【００８０】
ステップＳ３１で、停止タイミングになったと判断すると（ステップＳ３１；Ｙｅｓ）、ＣＰＵ４７１は、ステップＳ３３の処理に移行する。
一方、ステップＳ３１で、停止タイミングになっていないと判断すると（ステップＳ３１；Ｎｏ）、ＣＰＵ４７１は、ＢＤドライブ部４４に装着されたＢＤ４４ａの空き容量が無くなったか否か判断する（ステップＳ３２）。
【００８１】
ステップＳ３２で、ＢＤ４４ａの空き容量が無くなっていないと判断すると（ステップＳ３２；Ｎｏ）、ＣＰＵ４７１は、ステップＳ３１以降の処理を繰り返して行う。
一方、ステップＳ３２で、ＢＤ４４ａの空き容量が無くなったと判断すると（ステップＳ３２；Ｙｅｓ）、ＣＰＵ４７１は、停止制御プログラム４７４ｃを実行して、ステップＳ１６で開始した録画処理を停止させる（ステップＳ３３）。
【００８２】
次いで、ＣＰＵ４７１は、問い合わせプログラム４７４ｄを実行して、テレビジョン受像機２の電源状態を、ＨＤＭＩケーブルＣを介してテレビジョン受像機２に問い合わせる（ステップＳ３４）。すなわち、電源状態通知要求信号（ＣＥＣコマンド＜Give Device Power Status＞）を、ＨＤＭＩケーブルＣを介してテレビジョン受像機２に送信する。
【００８３】
そして、テレビジョン受像機２側では、ステップＳ３４で送信された電源状態通知要求信号（ＣＥＣコマンド＜Give Device Power Status＞）を受信すると、ＣＰＵ３０１が、電源状態通知信号送信プログラム３０３ｄを実行して、電源状態通知信号（ＣＥＣコマンド＜Report Device Power Status＞）を、ＨＤＭＩケーブルＣを介してＢＤレコーダ４に送信し（ステップＳ３５）、本処理を終了する。
具体的には、ＣＰＵ３０１は、自己（テレビジョン受像機２）の電源がＯＮ状態である場合、ＣＥＣコマンド＜Report Device Power Status＞［ON］を送信する。
一方、自己の電源がＯＦＦ状態である場合、ＣＥＣコマンド＜Report Device Power Status＞［OFF］を送信する。
【００８４】
そして、ＢＤレコーダ４側では、ステップＳ３５で送信された電源状態通知信号（ＣＥＣコマンド＜Report Device Power Status＞）を受信すると、ＣＰＵ４７１が、電源状態判断プログラム４７４ｅを実行して、ステップＳ３４での問い合わせ結果に基づいて（すなわち、当該受信した電源状態通知信号に基づいて）、テレビジョン受像機２の電源がＯＮ状態であるか否か判断する（ステップＳ３６）。
【００８５】
ステップＳ３６で、テレビジョン受像機２の電源がＯＮ状態でないと判断すると（ステップＳ３６；Ｎｏ）、すなわち、受信した電源状態通知信号が＜Report Device Power Status＞［Off］であった場合、ＣＰＵ４７１は、ステップＳ３８の処理に移行する。
一方、ステップＳ３６で、テレビジョン受像機２の電源がＯＮ状態であると判断すると（ステップＳ３６；Ｙｅｓ）、すなわち、受信した電源状態通知信号が＜Report Device Power Status＞［On］であった場合、ＣＰＵ４７１は、出力状態判断プログラム４７４ｆを実行して、自己（ＢＤレコーダ４）がアクティブソースであるか否か判断する（ステップＳ３７）。
【００８６】
ステップＳ３７で、ＢＤレコーダ４がアクティブソースであると判断すると（ステップＳ３７；Ｙｅｓ）、ＣＰＵ４７１は、本処理を終了する。
一方、ステップＳ３７で、ＢＤレコーダ４がアクティブソースでないと判断すると（ステップＳ３７；Ｎｏ）、ＣＰＵ４７１は、電源ＯＦＦプログラム４７４ｇを実行して、自己（ＢＤレコーダ４）の電源をＯＦＦ状態にして（ステップＳ３８）、本処理を終了する。
【００８７】
以上説明した本実施形態のＢＤレコーダ４及びコンテンツ録画システム１によれば、ＢＤレコーダ４は、テレビジョン受像機２とＨＤＭＩケーブルＣを介して接続され、番組コンテンツを受信する受信部４１と、番組コンテンツをＢＤ４４ａに録画するＢＤドライブ部４４と、「視聴中の番組コンテンツ」の録画開始を指示する開始指示信号（ＣＥＣコマンド＜Record On＞）を、ＨＤＭＩケーブルＣを介してテレビジョン受像機２から受信した場合に、録画処理（「視聴中の番組コンテンツ」を録画する処理（ワンタッチレコード処理））を開始させる開始制御プログラム４７４ａを実行したＣＰＵ４７１と、所定のタイミングで録画処理を停止させる停止制御プログラム４７４ｃを実行したＣＰＵ４７１と、停止制御プログラム４７４ｃを実行したＣＰＵ４７１により録画処理が停止された場合に、テレビジョン受像機２の電源状態を、ＨＤＭＩケーブルＣを介してテレビジョン受像機２に問い合わせる問い合わせプログラム４７４ｄを実行したＣＰＵ４７１と、問い合わせプログラム４７４ｄを実行したＣＰＵ４７１による問い合わせ結果に基づいて、テレビジョン受像機２の電源がＯＮ状態であるか否か判断する電源状態判断プログラム４７４ｅを実行したＣＰＵ４７１と、電源状態判断プログラム４７４ｅを実行したＣＰＵ４７１によりテレビジョン受像機２の電源がＯＮ状態でないと判断された場合に、自己（ＢＤレコーダ４）の電源をＯＦＦ状態にする電源ＯＦＦプログラム４７４ｇを実行したＣＰＵ４７１と、を備えている。
ここで、所定のタイミングは、ユーザからの指示によらないで録画処理（ワンタッチレコード処理）を停止したタイミング（すなわち、「視聴中の番組コンテンツ」の放送が終了した時点と、予め設定された録画停止時刻が到来した時点と、予め設定された録画時間が経過した時点と、ＢＤドライブ部４４に装着されたＢＤ４４ａの空き容量が無くなった時点と、のうちの何れか）である。
したがって、ユーザからの指示によらないで自動的にＢＤレコーダ４での録画処理（ワンタッチレコード処理）を停止した時点で、テレビジョン受像機２の電源がＯＦＦ状態であれば、ＢＤレコーダ４の電源も自動的にＯＦＦ状態になるため、ＢＤレコーダ４の電源の切り忘れを防止することができる。
【００８８】
また、以上説明した本実施形態のＢＤレコーダ４及びコンテンツ録画システム１によれば、ＢＤレコーダ４は、電源状態判断プログラム４７４ｅを実行したＣＰＵ４７１によりテレビジョン受像機２の電源がＯＮ状態であると判断された場合に、自己（ＢＤレコーダ４）がアクティブソースであるか否か判断する出力状態判断プログラム４７４ｆを実行したＣＰＵ４７１を備え、電源ＯＦＦプログラム４７４ｇを実行したＣＰＵ４７１は、電源状態判断プログラム４７４ｅを実行したＣＰＵ４７１によりテレビジョン受像機２の電源がＯＮ状態でないと判断された場合と、出力状態判断プログラム４７４ｆを実行したＣＰＵ４７１によりＢＤレコーダ４がアクティブソースでないと判断された場合と、に自己（ＢＤレコーダ４）の電源をＯＦＦ状態にするようになっている。
したがって、ＢＤレコーダ４での録画処理（ワンタッチレコード処理）が停止した際に、テレビジョン受像機２の電源がＯＮ状態であっても、ＢＤレコーダ４が使用されていない場合には、ＢＤレコーダ４の電源が自動的にＯＦＦ状態になるため、無駄な電力の消費を抑えることができる。
【００８９】
なお、本発明の範囲は上記実施形態に限られることなく、本発明の趣旨を逸脱しない範囲において種々の改良並びに設計の変更を行っても良い。
【００９０】
所定のタイミングとして、「視聴中の番組コンテンツ」の放送が終了した時点と、予め設定された録画停止時刻が到来した時点と、予め設定された録画時間が経過した時点と、ＢＤ４４ａの空き容量が無くなった時点と、を挙げたが、これに限られることはなく、所定のタイミングは、ユーザからの指示によらないで自動的にＢＤレコーダ４での録画処理（ワンタッチレコード処理）を停止した時点であれば任意である。
【００９１】
ＢＤレコーダ４は、ＨＤＭＩケーブルＣに加えて、その他のケーブル（例えば、ＩＥＥＥ１３９４ケーブル等のＡ／Ｖケーブル）を介してテレビジョン受像機２と接続されていても良い。また、ＢＤレコーダ４は、テレビジョン受像機２に加えて、その他の外部機器と接続していても良い。これらの場合、ＢＤレコーダ４は、テレビジョン受像機２の電源がＯＦＦ状態であっても、テレビジョン受像機２に対してＨＤＭＩ出力を行っていない場合であっても、接続された外部機器（テレビジョン受像機２も含む）にコンテンツデータを出力している場合や、接続された外部機器からコンテンツデータが入力されている場合には、自己（ＢＤレコーダ４）の電源をＯＦＦ状態にしないことが好ましい。
【００９２】
開始指示信号（ＣＥＣコマンド＜Record On＞）を送信した後に、停止タイミング指定信号を送信するようにしたが、これに限られることはなく、停止タイミング指定信号は、例えば、停止タイミングが指定された後に、開始指示信号と一緒に送信しても良い。
【００９３】
テレビジョン受像機２は、リモコン２９ａに設けられた所定の操作キーが押下されると、停止タイミング指定画面を表示するようにしたが、これに限られることはなく、例えば、開始指示信号を受信すると、停止タイミング指定画面を表示するよう指示する表示指示信号を、ＨＤＭＩケーブルＣを介してテレビジョン受像機２に送信するように、ＢＤレコーダ４を構成するとともに、当該表示指示信号を受信すると、停止タイミング指定画面を表示するように、テレビジョン受像機２を構成しても良い。
また、ワンタッチレコードを実行する度に、ユーザによるリモコン２９ａ操作によって停止タイミングを指定するようにしたが、これに限られることはなく、停止タイミングを指定するタイミングは任意である。
また、停止タイミングをユーザによるリモコン２９ａ操作により指定するようにしたが、これに限られることはなく、停止タイミングは、例えば、ＢＤレコーダ４に初期設定されていても良い。
【符号の説明】
【００９４】
１  コンテンツ録画システム
２  テレビジョン受像機
４  ＢＤレコーダ（録画機器）
２８  第１ＨＤＭＩインターフェース（開始指示信号送信手段、電源状態通知信号送信手段）
２９ａ  リモコン（指示手段）
４１  受信部（受信手段）
４４  ＢＤドライブ部（録画手段）
４４ａ  ＢＤ（記録媒体）
３０１  ＣＰＵ（開始指示信号送信手段、電源状態通知信号送信手段）
３０３ａ  開始指示信号送信プログラム（開始指示信号送信手段）
３０３ｄ  電源状態通知信号送信プログラム（電源状態通知信号送信手段）
４７１  ＣＰＵ（開始制御手段、停止制御手段、問い合わせ手段、電源状態判断手段、出力状態判断手段、電源ＯＦＦ手段）
４７４ａ  開始制御プログラム（開始制御手段）
４７４ｃ  停止制御プログラム（停止制御手段）
４７４ｄ  問い合わせプログラム（問い合わせ手段）
４７４ｅ  電源状態判断プログラム（電源状態判断手段）
４７４ｆ  出力状態判断プログラム（出力状態判断手段）
４７４ｇ  電源ＯＦＦプログラム（電源ＯＦＦ手段）
Ｃ  ＨＤＭＩケーブル
【図１】
2011061482.tif 000003
【図２】
2011061482.tif 000004
【図３】
2011061482.tif 000005
【図４】
2011061482.tif 000006
【図５】
2011061482.tif 000007
【図６】
2011061482.tif 000008
【図７】
2011061482.tif 000009